(57)【特許請求の範囲】
【請求項１】
周壁及びこの周壁の下端に一体連結する底壁によってその内側に化粧料の充填空間を区画形成し、該周壁の上部開放端を化粧料の取り出し口とする容器本体と、前記上部開放端にて前記周壁の内面に着脱自在に嵌合して前記充填空間を密封する中蓋と、この中蓋を内側に納め、前記周壁の外面に着脱自在に係合可能な外蓋とを備えた化粧料容器であって、
前記周壁の外面の少なくとも一箇所に、該周壁に沿って延伸し、該周壁の周方向における一方向に向かうに連れて前記上部開放端に近づく方向に傾斜した傾斜ガイドを形成した凹所を設け、
前記中蓋に、前記周壁の内面への嵌合姿勢でもって前記凹所に入り込み、該中蓋の前記一方向への回動に伴う前記傾斜ガイドの誘導下に該中蓋そのものを迫り上げて嵌合姿勢を解除する一方、該傾斜ガイドに沿う押し込みにて該中蓋を嵌合姿勢に保持する吊り下げ脚部を設けたことを特徴とする化粧料容器。
【請求項２】
前記傾斜ガイドが、前記凹所の輪郭形状を区画形成するとともに、前記吊り下げ脚部の下端の少なくとも一部分に当接して該吊り下げ脚部を誘導する区画壁部からなることを特徴とする請求項１に記載した化粧料容器。
【請求項３】
前記傾斜ガイドが、前記凹所の側壁部に一体的に形成された少なくとも一本のリブ状のレールからなり、
前記吊り下げ脚部の内側壁に、前記リブ状のレールを挟み込み、前記中蓋の回動に際して該リブ状のレールに沿って摺動する少なくとも二本の凸部を設けたことを特徴とする請求項１に記載した化粧料容器。
【請求項４】
前記中蓋は、その天面壁部にてスパチュラを着脱可能に保持する係止片を有することを特徴とする請求項１〜３のいずれか１に記載した化粧料容器。
【発明の詳細な説明】
【技術分野】
【０００１】
本発明は、中蓋を備えたジャータイプの化粧料容器に関するものである。
【背景技術】
【０００２】
クリームや整髪料等の化粧料を入れる容器としては、従来、スパチュラを使用して内容物を適量取り出すようにした大口径の開口を有するジャータイプの容器が使用されている。
【０００３】
通常、この種の化粧料容器は、内容物の蓋体（外蓋）への付着、内容物に含まれる揮発成分の蒸散、異物の混入等を防止する観点から、容器本体の上部開放端でその内壁面に嵌合させて内容物の充填空間を密封する中蓋が取付けられている。
【０００４】
ところで、上記の中蓋は、例えば、特許文献１、特許文献２に開示されているように、上面縁部に設けられたサイズの小さな摘み片を引っ張ることにより取り外すのが普通であり、中蓋の取り外しが容易でなく、また、蓋の取り付けに当たっては、該中蓋を水平状態に保持しながら容器本体の上部開放端に嵌合させる面倒な動作が必要であるため使い勝手がよいとはいえないものであって、未だ改善の余地が残されていた。
【先行技術文献】
【特許文献】
【０００５】
【特許文献１】特開２００７―２２２１９３号公報
【特許文献２】特開２０１１―２３４７６３号公報
【発明の開示】
【発明が解決しようとする課題】
【０００６】
本発明の課題は、構造の複雑化や部品点数の増加を伴うことなしに中蓋を簡単な動作のもとに着脱できる化粧料容器を提案するところにある。
【課題を解決するための手段】
【０００７】
本発明は、周壁及びこの周壁の下端に一体連結する底壁によってその内側に化粧料の充填空間を区画形成し、該周壁の上部開放端を化粧料の取り出し口とする容器本体と、前記上部開放端にて前記周壁の内面に着脱自在に嵌合して前記充填空間を密封する中蓋と、この中蓋を内側に納め、前記周壁の外面に着脱自在に係合可能な外蓋とを備えた化粧料容器であって、前記周壁の外面の少なくとも一箇所に、該周壁に沿って延伸する傾斜ガイドを形成した凹所を設け、前記中蓋に、前記周壁の内面への嵌合姿勢でもって前記凹所に入り込み、該中蓋の回動に伴う前記傾斜ガイドの誘導下に該中蓋そのものを迫り上げて嵌合姿勢を解除する一方、該傾斜ガイドに沿う押し込みにて該中蓋を嵌合姿勢に保持する吊り下げ脚部を設けたことを特徴とする化粧料容器である。
【０００８】
上記の構成からなる化粧料容器においては、
１）傾斜ガイドを、凹所の輪郭形状を区画形成するとともに、吊り下げ脚部の下端に当接して該吊り下げ脚部を誘導する区画壁部にて構成すること、
２）傾斜ガイドを、凹所の側壁部に一体的に形成され、吊下げ脚部の内側壁に連係する少なくとも一本のリブ状のレールにて構成すること、
３）中蓋の天面壁部にてスパチュラを着脱可能に保持する係止片を設けること、
が、本発明の課題解決のための具体的手段として好ましい。
【発明の効果】
【０００９】
上記の構成からなる本発明の化粧料容器によれば、周壁の外面の少なくとも一箇所に、該周壁に沿って延伸する傾斜ガイドを形成した凹所を設け、中蓋に、周壁の内面への嵌合姿勢でもって該凹所に入り込み、該中蓋の回動に伴う前記傾斜ガイドの誘導下に該中蓋そのものを迫り上げて嵌合姿勢を解除するとともに、該傾斜ガイドに沿う押し込みにて該中蓋を嵌合姿勢に保持する吊り下げ脚部を設けたため、中蓋をその縁部で把持して回動させるだけの簡単な動作で該中蓋の取り外し、取り付けが可能となる。
【００１０】
傾斜ガイドを、前記凹所の輪郭形状を区画形成するとともに、前記吊り下げ脚部の下端に当接して該吊り下げ脚部を誘導する区画壁部にて構成するようにしたため、部品点数の増加を伴ったり構造の複雑化を招くことなしに中蓋の着脱が可能となる。
【００１１】
また、傾斜ガイドを、凹所の側壁部に一体的に形成され、吊下げ脚部の内側壁に連係する少なくとも一本のリブ状のレールにて構成したため、簡単な構造のもとで中蓋の着脱が可能となる。
【００１２】
中蓋の天面壁部に係止片を設けてスパチュラを着脱可能に保持するようにしたため、該スパチュラが容器内でガタついたり、紛失するのを防止することができる。
【図面の簡単な説明】
【００１３】
【図１】図１は、本発明にしたがう化粧料容器の実施の形態を示した図であり、（ａ）は、外蓋を取り外した状態の平面図であり、（ｂ）はその側面を（ａ）のＡ―Ａ断面で示した図である。
【図２】図２は、図１に示した化粧料容器の外観斜視図である。
【図３】図３は、図１に示した化粧料容器において中蓋を取付けた状態を示した図である。
【図４】図４は、中蓋の取り外し状況の説明図である。
【図５】図５は、本発明にしたがう化粧料容器の他の実施の形態を要部について示した図である。
【発明を実施するための形態】
【００１４】
以下、図面を参照して本発明をより具体的に説明する。
図１（ａ）（ｂ）は、本発明にしたがう化粧料容器（合成樹脂製）の実施の形態を示した図であり、図２は、図１に示した化粧料容器につき、中蓋、外蓋を取り外した状態で示した外観斜視図である。
【００１５】
図における符号１は、容器本体である。この容器本体１は、筒状の周壁１ａ及びこの周壁１ａの下端に一体連結する円形の底壁１ｂによってその内側に化粧料の充填空間Mを区画形成しており、周壁１ａの上部開放端１ｃが化粧料の取り出し口になっている。
【００１６】
また、符号２は、ねじ部形成領域の下端で周壁１ａに一体連結し、該周壁１ａを取り囲む筒状のカバー（化粧壁）である。このカバー２は化粧壁部として機能させることができるものであり、ここでは、壁部の長さを長くして容器本体１の底壁１ｂを接地面から浮かせるようにしたものを例として示してある。
【００１７】
また、３は、中蓋である。中蓋３は、化粧料の取り出し口に合わさって充填空間Ｍを密封する円盤状の本体部分３ａと、この本体部分３ａの縁部において立ち上がり、その外面が周壁１ａの内面に嵌合する周壁３ｂと、この周壁３ｂの上端に一体連結し中蓋３の嵌合姿勢でもって容器本体１の上部開放端１ｃの端面に当接するフランジ部３ｃから構成されている。
【００１８】
４は、周壁１ａの上部外面に設けられたねじ部、５は、ねじ部４に係合するねじ部を有する外蓋である。この外蓋５は、天面壁部５ａと、この天面壁部５ａの縁部に一体連結してその内側に周壁１ａのねじ部と係合するねじ部が形成された周壁５ｂから構成されていて、天面壁部５ａと周壁５ｂとによって形成される収納空間に中蓋３を収め、周壁１ａの外面に形成されたねじ部に係合させて容器本体１を密封状態に保持する。
【００１９】
また、６は、周壁１ａのねじ形成領域の、対向位置に設けられた凹所である。この凹所６は、上部開放端１ｃにおいて周壁１ａを薄肉化することによって形成されたものであり、該凹所６の輪郭形状を区画形成する区画壁部（底辺壁６ａ１と側辺壁６ａ２）に角度を付与してその部位を誘導面とする傾斜ガイド６ａが設けられている。
【００２０】
７は、中蓋３のフランジ部３ｃの外端の、対向位置に設けられた吊り下げ脚部である。この吊り下げ脚部７は、中蓋３が周壁１ａの内面に嵌合した姿勢でもって凹所６に入り込み、その下端７ａの少なくとも一部分が傾斜ガイド６ａの誘導面に当接するようになっている。なお、この吊り下げ脚部７の腹部７bには、滑り止め用の凹凸を設けることができる。
【００２１】
さらに、８は、中蓋３の本体部分３ａの上面中央部に設けられた係止片である。この係止片８は間隔をあけて対向配置された２つで一組になるものから構成されたものを例として示してあり、その相互間でスパチュラ９を挟持してガタツキを防止する。なお、この係止片８は、例えば、先端部に爪を有するクリップ状のものを適用することも可能であり、図示のものには限定されない。
【００２２】
図３は、中蓋３を、容器本体１の上部開放端１ｃで周壁１ａに嵌合させて内容物の充填空間Ｍを密封した状態を示した図である。
【００２３】
図３に示すような状態において中蓋３を取り外すには、吊り下げ脚部７の腹部７ｂに指をあてがい該中蓋３を図中の矢印に沿って嵌合姿勢のまま回動させる。そうすると、図４に示すように、吊り下脚部７の下端部が傾斜ガイド６ａの誘導面に沿って摺動していき、中蓋３そのものが迫り上げられることとなり、これにより嵌合状態が解除される。
【００２４】
中蓋３を取り付けるに当たっては、吊り下げ脚部７の下端を傾斜ガイド６ａの誘導面に突き当て該中蓋３をそのまま押し込めばよく、これにより、該中蓋３は、水平状態に保たれたまま誘導面に沿って下降していき上部開放端１ｃで周壁１ａに嵌合する。
【００２５】
本発明にしたがう化粧料容器は、上述のように、中蓋３を回動させるだけの操作で該中蓋３を簡単に取り外すことができる一方、中蓋３を、傾斜ガイド６ａの誘導面に沿って押し込むだけで嵌合状態に保持できるため、従来の中蓋付き化粧料容器に比較して使い勝手が著しく改善される。
【００２６】
図５は、本発明にしたがう化粧料容器の他の実施の形態を要部について示した図である。傾斜ガイド６ａとしては、凹所６の側壁部６ｂに一体的に形成された少なくとも一本のリブ状のレールを設けることによって構成することもできる。
【００２７】
この場合、吊り下げ脚部７の内側壁には、リブ状のレールからなる傾斜ガイド６ａを挟み込んで連係する少なくとも二本の凸部７ｃを設けておき、中蓋３の回動に際して該凸部７ｃを傾斜ガイド６ａに沿わせて摺動させればよく、かかる構造のものにおいても、中蓋３を回動させるだけで該中蓋３の着脱が可能となる。
【００２８】
図５においては、傾斜ガイド６ａを一本設けた場合について示したが、該傾斜ガイド６ａは、複数本設けることも可能であり、この場合、凸部７ｂは、傾斜ガイド６ａを挟み込むことができる本数を設ける。
【００２９】
吊り下げ脚部７に設けた凸部７ｃを、リブ状のレールからなる傾斜ガイド６ａに連係させるには、中蓋３を上部開放端１ｃに押し込んで該吊り下げ脚部７を弾性的に変位させ、該凸部７ｂが傾斜ガイド６ａを乗り越えさせるだけでよい（凸部７ｂを傾斜ガイド６ａから離脱させる場合も同様に吊り下げ脚部７を弾性的に変位させる）。
【００３０】
傾斜ガイド６ａは、湾曲したものであってもよいし直線的なものでもよい。また、吊り下げ脚部７の下端は、図示のように矩形形状をなすものを適用することができるが、傾斜ガイド６ａの誘導面に合わせた形状を採用することも可能であり、この点についてはとくに限定されない。
【００３１】
なお、本発明の化粧料容器は、取り外した中蓋３を、そのままの姿勢で机上等に置いたとしても、吊り下げ脚部７によって中蓋３が支えられるため、その裏面が机上等に直接接触することがない。このため、中蓋３の裏面に化粧料が付着していたとしても、机上等が汚れるのを防止できる利点があり、また、取り外した中蓋３を反転させたのちに机上等におくような面倒な動作も不要になる。
【００３２】
本発明にしたがう化粧料容器は、合成樹脂を射出成型することによって成型されるものであり、スパチュラ９を含めると容器本体１と、中蓋３と、外蓋５の４部材にて構成される。
【産業上の利用可能性】
【００３３】
本発明によれば、部品点数の増加を伴うことなしに簡単な動作のもとに中蓋の取り外し、取り付けが行える化粧料容器が提供できる。
【符号の説明】
【００３４】
１      容器本体
１ａ    周壁
１ｂ    底壁
１ｃ    上部開放端
２      カバー
３      中蓋
３ａ    本体部分
３ｂ    周壁
３ｃ    フランジ部
４      ねじ部
５      外蓋
５ａ    天面壁部
５ｂ    周壁
６      凹部
７      吊り下げ脚部
７ａ    下端
７ｂ    腹部
７ｃ    凸部
８      係止片
９      スパチュラ
【図１】
0005897314.tif 000002
【図２】
0005897314.tif 000003
【図３】
0005897314.tif 000004
【図４】
0005897314.tif 000005
【図５】
0005897314.tif 000006